【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
音声を表すデータ・ビットと、
音声に対して適正であると意図されたメタデータと、
メタデータ確認情報と
を含むデジタル・ビットストリームであって、
メタデータの全部または一部が前記音声に対して適正ではない可能性があり、前記メタデータが前記音声に対して適正であるか否かを検出するために前記メタデータ確認情報を使用することができ、適正でない場合には、それを正しいものに変えるために使用することができるデジタル・ビットストリーム。
【請求項２】
メタデータを検出し変更するために使用できる前記メタデータ確認情報が正しいバージョンのメタデータのコピーまたはデータ圧縮されたコピーを含む、請求項1に記載のデジタル・ビットストリーム。
【請求項３】
請求項１に記載のデジタル・ビットストリームであって、ここで、前記メタデータとそのコピーのそれぞれの差が閾値の範囲内であるか否かを検出するために前記確認情報を使用することができ、これが否定された場合、前記メタデータを前記コピーで置き換えるために前記確認情報を使用することができる、デジタル・ビットストリーム。
【請求項４】
請求項１に記載のデジタル・ビットストリームであって、前記メタデータ確認情報が暗号化されている、デジタル・ビットストリーム。
【請求項５】
請求項１に記載のデジタル・ビットストリームであって、前記メタデータ確認情報を表す複数のビットが、前記ビットストリーム中の通常は情報を持たない複数のビットの全部または一部を置き換える、デジタル・ビットストリーム。
【請求項６】
請求項１に記載のデジタル・ビットストリームであって、前記メタデータ確認情報が前記ビットストリーム中に電子迷彩技術を用いてコード化されている、デジタル・ビットストリーム。
【請求項７】
請求項１に記載のデジタル・ビットストリームであって、前記音声がデータ圧縮されている、デジタル・ビットストリーム。
【請求項８】
音声に対応するデジタル・ビットストリームを生成する方法であって、
前記音声に対して適正なメタデータを生成する工程と、
前記音声に対するメタデータが適正であるか否かを検出し、適正でない場合にはそれを適正なものに変更するために使用することができるメタデータ確認情報を生成する工程と、
前記音声を表すデータ・ビット、前記メタデータおよび前記メタデータ確認情報を含むデジタル・ビットストリームを組み立てる工程と
を含む方法。
【請求項９】
請求項８に記載の方法であって、前記メタデータを生成する工程が前記音声の計測結果に基づいてメタデータを生成する工程である、方法。
【請求項１０】
請求項９に記載の方法であって、前記音声の計測は前記音声の音量の計測である方法。
【請求項１１】
請求項８に記載の方法であって、前記メタデータ確認情報をメタデータの正しいバージョンのコピーまたはデータ圧縮されたコピーを含むメタデータを検出し変更するために使用することができる方法。
【請求項１２】
請求項８に記載の方法であって、前記確認情報が暗号化されている方法。
【請求項１３】
請求項８に記載の方法であって、前記メタデータ確認情報を表す複数のビットが前記ビットストリーム中の通常は情報を持たない複数のビットの全部又は一部を置き換える方法。
【請求項１４】
請求項８に記載の方法であって、前記確認情報を、電子迷彩技術を用いて前記ビットストリームにコード化する方法。
【請求項１５】
デジタル音声ビットストリームを取り扱う方法であって、前記音声ビットストリームは音声を表す複数のデータ・ビットおよび前記音声に対して適正であるように意図されたメタデータを含み、ここで、メタデータの一部または全部が前記音声に対して適正ではなくてもよく、さらに前記音声ビットストリームは、メタデータが前記音声に対して適正であるか否かを検出するために使うことができ、適正でない場合には適正になるようにメタデータを変更するメタデータ確認情報を表す複数のデータ・ビットを含むことがあり、
前記メタデータ確認情報が前記ビットストリーム中に存在するかどうかを決定する工程と、
メタデータ確認情報が存在する場合、それがメタデータの少なくとも一部が適正であることを確認する工程と、
前記メタデータ確認情報が適正であると確認する場合、ビットストリームに変更を加えない工程と、
前記メタデータ確認情報が適正であると確認しない場合、前記メタデータの前記の少なくとも一部分を訂正する工程と、
前記メタデータ確認情報が存在しない場合、前記メタデータの少なくとも一部分が適正か否かを決定する工程と、
前記メタデータの前記のすくなとも一部分が適正である場合、前記ビットストリームに変更を加えないか、または、前記のメタデータの少なくとも一部に対応するメタデータ確認情報を前記ビットストリームに挿入する工程と、
前記メタデータの前記のすくなとも一部分が適正でない場合、前記メタデータの前記の一部分にデフォルトの値を設定する工程と
を含む方法。
【請求項１６】
デジタル音声ビットストリームをデコードする方法であって、前記音声ビットストリームは音声を表す複数のデータ・ビットおよび前記音声に対して適正であるように意図されたメタデータを含み、ここで、前記メタデータの一部または全部が前記音声に対して適正ではなくてもよく、さらに前記音声ビットストリームは、メタデータが前記音声に対して適正であるか否かを検出するために使うことができ、適正でない場合には適正になるようにメタデータを変更するメタデータ確認情報を表す複数のデータ・ビットを含むことがあり、
前記メタデータ確認情報が前記ビットストリームに存在するか否かを決定する工程と、
メタデータ確認情報が存在する場合、それが前記メタデータの少なくとも一部分が適正であることを確認する工程と、
前記情報が適正であると確認する場合、前記メタデータを用いて前記ビットストリームをデコードする工程と、
前記メタデータ確認情報が前記メタデータの前記のすくなとも一部分が適正であると確認しない場合、それを用いて前記メタデータを訂正し、前記訂正されたメタデータを用いて前記ビットストリームをデコードする工程と、
メタデータ確認情報が前記ビットストリームに存在しない場合、前記ビットストリーム中の前記メタデータを用いて前記ビットストリームをデコードし、またはメタデータの規定値を用いて前記ビットストリームをデコードする工程と
を含む方法。
【請求項１７】
デジタル音声ビットストリームをデコードする方法であって、前記音声ビットストリームは音声を表す複数のデータ・ビットおよび前記音声に対して適正であるように意図されたメタデータを含み、ここで、前記メタデータの一部または全部が前記音声に対して適正ではなくてもよく、さらに前記音声ビットストリームは、メタデータが前記音声に対して適正であるか否かを検出するために使うことができ、適正でない場合には適正になるようにメタデータを変更するメタデータ確認情報を表す複数のデータ・ビットを含むことがあり、
前記メタデータ確認情報が前記ビットストリームに存在するか否かを決定する工程と、
メタデータ確認情報が存在する場合、それが前記メタデータの少なくとも一部分が適正であることを確認するか否かを決定する工程と、
前記情報が適正であると確認する場合、前記メタデータを用いて前記ビットストリームをデコードする工程と、
前記メタデータ確認情報が前記メタデータの前記すくなくとも一部分が適正である確認しない場合、それを用いて前記メタデータを訂正し、前記訂正されたメタデータを用いて前記ビットストリームをデコードする工程と、
メタデータ確認情報が前記ビットストリームに存在しない場合、前記メタデータの前記の少なくとも一部が適正であるか否かを決定する工程と、
前記メタデータの前記の少なくとも一部が適正である場合、前記ビットストリームを前記のメタデータを用いてデコードする工程と、
前記メタデータの前記の少なくとも一部が適正でない場合、前記ビットストリームの前記の少なくとも一部分にデフォルトの値を設定してデコードする工程と
を含む方法。
【手続補正２】
【補正対象書類名】明細書
【補正対象項目名】００３８
【補正方法】変更
【補正の内容】
【００３８】
図１１は、３の異なった音声アイテムが含まれた例を示している。図１１ａは、処理されていない音声アイテムの、会話の音量の平均値とダイナミック・レンジを示している。図１１ｂは、再生中にダイナミック・レンジ圧縮とDIALNORMパラメーターを適用して、３のアイテム全てにわたって、会話の音量の平均を一定にし、出力信号のダイナミック・レンジを減少させた様子を示している。
【手続補正３】
【補正対象書類名】明細書
【補正対象項目名】００７３
【補正方法】変更
【補正の内容】
【００７３】
図５は、図４のステップ404ないし413の一部を実行する処理500の一例である。図5で示すとおり、AC-3フレーム501は、修正されたAC-3デコード機能又は装置（「AC-3デコーダー」）502によってデコードされデジタル音声503になる。AC-3デコード502によってAC-3フレームのデコードを行っている間、DIALNORMパラメーターおよびダイナミック・レンジ圧縮情報が、後に述べるように、他の潜在的な使用方法のために回復されたとしても、音響デコードの目的としては無視され、デコードされた音声503は、ビットストリームを生成したエンコーダーへの入力と同じ音量と同じダイナミック・レンジをもつ。会話音量測定機能または会話レベル測定機（「会話音量測定」）504はデコードされた音声503を受け取り、会話音量505を計算する。会話音量測定504は、図１に関連して述べた会話測定104と同じ機能または装置であってもよい。AC-3デコーダー502はすでに述べたステップ404を実行してもよく、会話音量測定504はすでに述べたステップ405を実行してもよい。ビットストリーム更新機能または更新装置（「ビットストリーム更新」）506は会話の音量を各フレームにあるDIALNORMパラメーターと比較する。比較に関してさらなる詳細は、以下に与える。加えて、ステップ406と408の判断によっては、ステップ407、あるいは、ステップ408-410（下の図６ａ及びその説明参照）、ステップ408及び411-413（下の図６ｂ及びその説明参照）が実行される。ステップ407が実行される場合、DIALNORM確認データをAC-3ビットストリームに挿入し、オリジナルのDIALNORMと関連するダイナミック・レンジ・コントロール情報はそのままにしておく。ステップ407を実行する際、ビットストリーム更新506はAC-3の中の未使用のデータ・ビットの検索も行う。十分な量の未使用のデータ・ビットを持つAC-3フレームは修正を受けて、未使用のビットにDIALNORM確認データが格納されるよう更新される。別の方法として、AC-3デコード502によって生成されたデコードされた音声は再エンコードされるが、各フレームに確認データを格納するのに十分な量の未使用データ・ビットを確保しておくこともできる（この場合、ビットストリーム更新506は、図１の修正されたAC-3エンコード102と同様に、修正されたAC-3エンコーダーを含む）。
【手続補正４】
【補正対象書類名】明細書
【補正対象項目名】００７４
【補正方法】変更
【補正の内容】
【００７４】
より具体的に言えば、ステップ406を実行する過程で、ビットストリーム更新506は、会話の計測された音量と、DIALNORMパラメーターで示された会話の音量を比較する。DIALNORMパラメーターの値は-31dBから1dBの間で(両端を含む)、1dBごとの値である。もし、会話の測定された音量がこの範囲にあって、ビットストリームから得たDIALNORMの値とは異なっていた場合には、DIALNORMパラメーターは、1dBごとに丸められた値の計測された値に、条件附で（確認情報を格納できる十分な未使用のデータ・ビットがあることが「条件」である）更新される。測定された会話の音量は、ビットストリームの中のDIALNORMの値との差の絶対値が閾値より大きい場合は、この二つの値は異なっていると考える。必要であれば、この閾値はゼロとすることもできるが、好ましい実装では、閾値は、メタデータ・パラメーターの正確性と、本発明を実装するために必要なコンピューターの資源と、DIALNORMの値と測定された会話の音量の値の差が再生時の音響情報の品質を悪化させる可能性との間の得失評価によって決定される。多くの応用プログラムでは、閾値は3（3dB）が適切である。ビットストリームを更新して正しいDIALNORMパラメーターを格納する事に加えて、ビットストリーム更新506は、各AC-3フレーム中の未使用のデータを検索する。もし、フレームに十分な量の未使用のデータ・ビットがあるのであれば、正確で認証された音量測定処理が行われ、AC-3ビットストリームに置かれたDAILNORMの値が正しいことを示すDIALNORM確認データに、この未使用のデータ・ビットは置き換えられる。
【手続補正５】
【補正対象書類名】図面
【補正対象項目名】図３
【補正方法】変更
【補正の内容】
【図３】
2008536193.tif 000001
【手続補正６】
【補正対象書類名】図面
【補正対象項目名】図４
【補正方法】変更
【補正の内容】
【図４】
2008536193.tif 000002
【手続補正７】
【補正対象書類名】図面
【補正対象項目名】図８
【補正方法】変更
【補正の内容】
【図８】
2008536193.tif 000003
【手続補正８】
【補正対象書類名】図面
【補正対象項目名】図９ｅ
【補正方法】変更
【補正の内容】
【図９ｅ】
2008536193.tif 000004